(57)【要約】【課題】定温倉庫の構造体を貫通する挿通孔に支持部材を貫通させて配置する場合に、挿通孔回りの断熱性を確保するための新規な手法を提案する。【解決手段】室内温度が一定範囲内に管理される定温倉庫において、断熱材２が一体化した構造体１に形成された挿通孔７を貫通し、構造体１の室内側に位置する被支持部材５に連結される連結部材６と構造体１との間で断熱性を確保する。  挿通孔７を貫通し、構造体１の室外側に露出する連結部材６の周囲に、構造体１側が開放する一方、それに対向する側が閉鎖し、一部に注入口を有する筒形の型枠部材８を配置し、この型枠部材８と挿通孔７の内部に発泡性の断熱材９を充填する。【選択図】図１
2009299922.tif 000002
【特許請求の範囲】
【請求項１】
室内温度が一定範囲内に管理される定温室の内外を区画し、断熱材が一体化した構造体に形成された挿通孔を貫通し、前記構造体の室内側に位置する被支持部材に連結される連結部材と構造体との間の断熱構造であり、
前記挿通孔を貫通し、前記構造体の室外側に露出する前記連結部材の周囲に、前記構造体側が開放する一方、それに対向する側が閉鎖し、一部に注入口を有する筒形の型枠部材が配置され、この型枠部材と前記挿通孔の内部に発泡性の断熱材が充填されていることを特徴とする定温室における連結部材の断熱構造。
【請求項２】
前記型枠部材の少なくとも周方向の一部は全高に亘って透光性を有することを特徴とする請求項１に記載の定温室における連結部材の断熱構造。
【請求項３】
前記挿通孔に、前記連結部材を保護する筒状部材が挿入されていることを特徴とする請求項１、もしくは請求項２に記載の定温室における連結部材の断熱構造。
【請求項４】
室内温度が一定範囲内に管理される定温室の内外を区画し、断熱材が一体化した構造体に、その両面間を貫通する挿通孔を形成する工程と、
前記構造体の室内側に位置する被支持部材に連結される連結部材を、前記挿通孔を貫通させて前記挿通孔に配置する工程と、
前記構造体の室外側に露出する前記連結部材の周囲に、前記構造体側が開放する一方、それに対向する側が閉鎖し、一部に注入口を有する筒形の型枠部材を配置する工程と、
前記型枠部材と前記挿通孔の内部に発泡性の断熱材を充填する工程とを含むことを特徴とする定温室における連結部材の施工方法。
【発明の詳細な説明】
【技術分野】
【０００１】
本発明は室内温度が一定範囲内に管理される定温室内に設備機器や電気機器等の被支持部材を設置する上で、被支持部材を支持する吊りボルトや被支持部材に接続されるケーブル等の連結部材が室の内外を区画する構造体を貫通する部分において断熱性を確保した定温室における連結部材の断熱構造、及びその施工方法に関するものである。
【背景技術】
【０００２】
定温倉庫では定温室の室内温度を一定範囲内に維持する必要から、室の内外を区画する天井や壁、床等の各構造体に断熱材が張り付けられるか、内蔵されることにより構造体に断熱材が一体化させられる。この定温室の例えば天井に照明器具その他の設備機器等の被支持部材を支持させる場合には、被支持部材を支持する吊りボルト等の支持部材と被支持部材に接続される電源ケーブル等の接続部材を、構造体を貫通させることが必要になる。支持部材は構造体を貫通してこれに定着され、接続部材は天井裏の空間内に配線される。
【０００３】
この場合、天井を含む構造体には上記支持部材と接続部材を挿通させるための挿通孔を形成する必要があるが、挿通孔の形成は断熱材に穴を明けることになるため、挿通孔位置における断熱性が損なわれ、室内温度を一定に維持することが困難になる可能性がある。
【０００４】
このような場合、挿通孔に支持部材や接続部材等の連結部材を挿通させ、挿通孔両端部と連結部材との間に目地詰め材を充填した状態で、両目地詰め材間に例えば発泡性の断熱材を充填することが考えられる。
【０００５】
しかしながら、挿通孔の内部にのみ断熱材を充填しても構造体から定温室の室外側へ突出（露出）する連結部材を完全に断熱材によって被覆することができない。例えば連結部材が上記支持部材である場合には、連結部材は挿通孔を貫通して定温室の室外側で定着されるため、その定着部分まで断熱材によって包囲しなければ連結部材を通じた熱橋と冷橋を防止することができない。
【０００６】
従来、構造体に形成した挿通孔を貫通させて被支持部材を配置することを想定した定温倉庫の事例も、定温室に被支持部材を配置する場合に、挿通孔における断熱性を確保することに適した手法も存在していない（特許文献１〜３参照）。
【０００７】
【特許文献１】特公平５−７１２１３号公報
【特許文献２】特開平９−３２９３８４号公報
【特許文献３】特開２００５−２８９５９８号公報
【発明の開示】
【発明が解決しようとする課題】
【０００８】
従って上記したように定温室に面する構造体に、その両面を貫通する挿通孔を形成して被支持部材を支持させる場合に、挿通孔における断熱性を確保することは従来技術にない新規な課題であり、この課題を解決するには新規な手法を新たに見出す必要がある。
【０００９】
本発明は上記背景より、定温室に面する構造体を貫通する挿通孔に支持部材を貫通させて配置する場合に、挿通孔における断熱性を確保するための新規な手法を提案するものである。
【課題を解決するための手段】
【００１０】
請求項１に記載の発明の定温室における支持部材の断熱構造は、室内温度が一定範囲内に管理される定温室の内外を区画し、断熱材が一体化した構造体に形成された挿通孔を貫通し、前記構造体の室内側に位置する被支持部材に連結される連結部材と構造体との間の断熱構造において、
前記挿通孔を貫通し、前記構造体の室外側に露出する前記連結部材の周囲に、前記構造体側が開放する一方、それに対向する側が閉鎖し、一部に注入口を有する筒形の型枠部材が配置され、この型枠部材と前記挿通孔の内部に発泡性の断熱材が充填されていることを構成要件とする。
【００１１】
定温室は空調機（冷却機）等によって室内温度が一定範囲内に管理される部屋（空間）であり、室内とは定温室の内部を指し、定温室に構造体を隔てて隣接する室（部屋）、または空間は室外になる。
【００１２】
構造体は定温倉庫の定温室を区画する床、天井、壁であり、鉄骨造であるか、鉄筋コンクリート造であるかの構造種別は問われない。同一の定温室においても構造体の構造種別は壁であるか天井であるかの部位によって相違することもある。断熱材は構造体の室内側、もしくは室外側のいずれかの表面に一体化する場合と、構造体の厚さ方向中間部に挟み込まれる場合がある。
【００１３】
被支持部材は構造体の室（定温室）内側に露出した状態で配置される設備機器の他、空調機等の各種機器を含む。連結部材は機器を支持するための吊りボルト等の吊り材、受け材等の支持部材の他、被支持部材に接続される電源ケーブル、または配線・配管ケーブル等の接続部材を含む。連結部材の定温室内への突出（露出）状態は構造体の部位と連結部材の機能によって決まり、例えば構造体が天井である場合に、連結部材が支持部材である場合には構造体に定着された状態で定温室内へ張り出し、接続部材である場合には構造体から懸垂した状態で定温室内へ張り出す。
【００１４】
前記のように構造体に形成された挿通孔に連結部材が挿通し、挿通孔両端部と連結部材との間に目地詰め材を充填するのみでは、連結部材を断熱材によって完全に被覆することはできない。これに対し、上記のように構造体の室外側に露出する連結部材の周囲に、構造体側が開放する一方、それに対向する側が閉鎖し、一部に注入口を有する筒形の型枠部材が配置されることで、連結部材が構造体から室外側に露出する場合にもその露出部分を断熱材によって完全に被覆することが可能になる。
【００１５】
連結部材が構造体に定着される支持部材である場合には、型枠部材内部への発泡性断熱材の充填によって連結部材の、室外側への露出部分と室外側の空気との接触が阻止されるため、連結部材を通じた熱橋と冷橋が回避される。断熱材は連結部材が貫通している挿通孔の内部にも充填される。
【００１６】
型枠部材はその開放側の端面が構造体の室外側の面に接触（密着）した状態で固定され、周面と閉鎖側の端面が、構造体の室内側に位置する目地詰め材と共に挿通孔を含み、閉鎖した空間を構成する。挿通孔の室外側の面に型枠部材が配置されることで、目地詰め材は挿通孔の定温室に面する部分に配置されれば足りる。型枠部材が構造体の表面に密着した状態は粘着テープ等により一時的に仮止めされることにより固定される。型枠部材は断熱材の充填後もそのまま残される場合と回収される場合がある。
【００１７】
型枠部材は挿通孔を含む閉じた空間を構成しながらも、注入口を有することで、空間内への断熱材の充填性が確保される。型枠部材内の空気が断熱材の充填を阻害する可能性がある場合には、型枠部材に空気抜き用の孔が形成される。その場合、型枠部材内に断熱材を充填する際に、空気抜き用の孔から液状の断熱材が吐出することで、孔は断熱材の充填が完了したことを確認するためにも利用される。
【００１８】
型枠部材は挿通孔に連通する空間を閉塞することで、目地詰め材と共に型枠部材の内部に充填される断熱材の堰板として機能するため、断熱材は型枠部材の内部と挿通孔内に密実に充填される。断熱材は型枠部材の注入口から注入され、挿通孔と型枠部材の内部に充填されることによって挿通孔における断熱性を確保する。
【００１９】
挿通孔内を挿通する連結部材と挿通孔内周面との間に空隙がないような場合には、挿通孔内には必ずしも断熱材が充填される必要はないが、連結部材が金属材料等のように熱伝導率の高い材料からなる場合には、熱橋と冷橋を防止するために、少なくとも型枠部材内に断熱材が充填される。
【００２０】
断熱材が挿通孔における断熱性を確保することで、定温室に面する構造体を貫通する挿通孔を形成して被支持部材を支持させる場合に直面する、挿通孔における断熱性確保の課題が解決される。すなわち挿通孔を通じて定温室内の冷気が室外へ漏れる、あるいは隣接する室外からの熱気が定温室内へ入り込むことがなくなり、挿通孔の形成による定温室の温度管理への影響を回避することが可能になる。
【００２１】
型枠部材内への断熱材の充填状況を確認することは前記のように型枠部材に空気抜き孔を形成しておくことで可能になるが、請求項２に記載のように型枠部材の少なくとも周方向の一部が全高に亘って透光性を有していることによっても充填状況の確認をすることが可能である。この場合、特に型枠部材が透光性を有することで、目視により充填状況を確認し易く、充填の完了時点を事前に把握（予測）できる利点がある。
【００２２】
また請求項３に記載のように請求項１、または請求項２において、構造体の挿通孔に、連結部材を保護する筒状部材（ブッシング）が挿入されている場合には、連結部材が挿通孔内周面に接触することによる連結部材の損傷を筒状部材が防止するため、連結部材を損傷から保護することが可能である。
【００２３】
請求項１〜請求項３に記載の断熱構造は請求項４に記載のように室内温度が一定範囲内に管理される定温室の内外を区画し、断熱材が一体化した構造体に、その両面間を貫通する挿通孔を形成する工程と、
前記構造体の室内側に位置する被支持部材に連結される連結部材を、前記挿通孔を貫通させて前記挿通孔に配置する工程と、
前記構造体の室外側に露出する前記連結部材の周囲に、前記構造体側が開放する一方、それに対向する側が閉鎖し、一部に注入口を有する筒形の型枠部材を配置する工程と、
前記型枠部材と前記挿通孔の内部に発泡性の断熱材を充填する工程とを含む施工方法が実施されることによって形成される。
【００２４】
請求項３に記載の断熱構造は請求項４に記載の発明において、挿通孔を形成する工程と、挿通孔内に連結部材を配置する工程のいずれかにおいて、挿通孔内に筒状部材を配置することにより形成される。
【発明の効果】
【００２５】
構造体の室外側に露出する連結部材の周囲に、構造体側が開放する一方、それに対向する側が閉鎖し、一部に注入口を有する筒形の型枠部材を配置するため、型枠部材の注入口を通じて挿通孔内に断熱材を充填することが可能であり、断熱材によって挿通孔における断熱性を確保することができる。
【発明を実施するための最良の形態】
【００２６】
以下、図面を用いて本発明を実施するための最良の形態を説明する。
【００２７】
図１は室内温度が一定範囲内に管理される定温室３を有する図３に示すような定温倉庫において、定温室３の内外を区画し、断熱材２が一体化した構造体１に形成された挿通孔７を貫通し、構造体１の室内側に位置する被支持部材５に連結される連結部材６と構造体１との間の断熱構造の具体例を示す。定温室３は床と天井、及び壁を構成する各構造体１によって隣接する室（空間）から区画されるが、以下では構造体１を挟んで定温室３に隣接する室を隣接室４と言う。
【００２８】
挿通孔７を貫通し、構造体１の室外側に露出する連結部材６の周囲に、構造体１側が開放する一方、それに対向する側が閉鎖し、一部に注入口８ａを有する筒形の型枠部材８が配置され、この型枠部材８と挿通孔７の内部に発泡性の断熱材９が充填されることにより断熱構造が形成される。注入口８ａは型枠部材８のいずれかの部分に形成されればよいが、図面では注入口８ａを型枠部材８の閉鎖面である底部８ｂの一部に形成し、注入口８ａと後述の、連結部材６貫通用の貫通孔を兼用させている。
【００２９】
図３に示す例の場合、定温室３の上に位置する隣接室４は天井裏に該当するが、このように定温室３と隣接室４との境界に位置する構造体１が床スラブ程度の荷重支持能力を持つ必要がない場合には、構造体１は天井材を兼ねるデッキプレート等の鋼板（鋼製床版）と断熱材２から構成されればよい。構造体１が床である場合には、構造体１は例えば鉄筋コンクリート造のスラブと断熱材２から構成され、壁である場合には鋼板やコンクリートと断熱材２から構成される。
【００３０】
連結部材６は定温室３内に配置される設備機器や電気機器その他の機器を含む被支持部材５を構造体１に支持させるための、または被支持部材５に接続される部品であり、連結部材６には被支持部材５を支持する構造体１の部位に応じて吊りボルトや金物（金具）等の支持部材の他、被支持部材５の機能に応じた配線や配管用の各種ケーブル等の接続部材が使用される。以下では被支持部材５を構造体１に支持させるための支持部材を連結部材６１とし、被支持部材５に接続される接続部材を連結部材６２とする。
【００３１】
図１では被支持部材５が照明器具等の設備機器であることに対応し、被支持部材５の長さ方向両側位置に連結部材６１としての吊りボルト（吊り材）を配置すると共に、長さ方向中間部に電源供給用の連結部材６２としての電源ケーブルを接続している。この場合、吊りボルトと電源ケーブルが構造体１を貫通するため、その貫通位置に挿通孔７が形成される。
【００３２】
挿通孔７は定温倉庫の構築時に構造体１の該当位置に型枠を配置しておくことによって形成される他、構築済みの構造体１に対してはドリル等による削孔によって形成される。挿通孔７の内径には連結部材６１、６２の断面積（径）に応じた大きさが与えられる。
【００３３】
連結部材６２は挿通孔７内に挿通させられ、保持された状態で、構造体１の、定温室３の反対側（室外側）、すなわち隣接室４側の面に型枠部材８が配置される。このとき、挿通孔７の、定温室３側の面には図２−（ｃ）に示すように挿通孔７内に充填される断熱材９の堰板となる目地詰め材（コーキング）１０が配置（充填）される。この場合、連結部材６２は型枠部材８と目地詰め材１０を挿通することによって挿通孔７内を挿通した状態で保持される。型枠部材８は例えば構造体１との間に跨って付着、塗付等される粘着テープ、接着剤等によって構造体１に固定（仮固定）された状態を維持する。
【００３４】
型枠部材８には前記のように一方の面が開放し、他方の面が閉鎖した筒形の部材が使用されるが、図面では目視での断熱材９の充填状況を確認する目的で、透明（半透明）のプラスチック製のコップを使用している。型枠部材８の周面等、いずれかの部分（位置）には断熱材９を注入するための注入口８ａが形成される。型枠部材８は開放面を下にし、閉鎖面を上に向けて配置（使用）されるため、前記のように閉鎖面である底部８ｂの一部に連結部材６が貫通するための貫通孔が形成される。図面では注入口８ａが貫通孔を兼ねているが、必ずしもその必要はない。
【００３５】
断熱材９の充填状況は、型枠部材８に形成された注入口８ａとは別の孔（吐出孔）を形成しておくことによっても確認することが可能であるため、必ずしも型枠部材９に透明な材料を使用する必要はない。吐出孔を形成した場合には、断熱材９が吐出孔から吐出することで断熱材９の充填完了が確認される。発泡性の断熱材９には発泡ポリウレタン、発泡ポリスチレン、発泡ポリエチレン等が使用される。
【００３６】
連結部材６２が電源ケーブル等のように挿通孔７を挿通し、隣接室４の室内に配線（敷設）されることで、連結部材６２が損傷、あるいは破断する可能性がある場合には、図２−（ｂ）に示すように挿通孔７の内周に例えばゴム、もしくは合成樹脂製のブッシング等の筒状部材１１が配置される。構造体１の室内（定温室３）側の面には目地詰め材１０が配置されることから、筒状部材１１は構造体１の室外側（隣接室４）に面する箇所に、挿通孔７内周面との間に跨って配置される。
【００３７】
連結部材６１が吊りボルト等のような金物の場合には、連結部材６１は挿通孔７から隣接室４側へ突出した部分で定着され、隣接室４の室内に配線されることがないため、挿通孔７に筒状部材１１を配置することは必ずしも必要ではない。但し、連結部材６１が隣接室４側へ突出（露出）することによる熱橋と冷橋を防止する観点から、連結部材６１を断熱材９によって包囲することに意味があるため、構造体１の室外側には型枠部材８が配置される。
【００３８】
ここで、図２−（ａ）〜（ｄ）、図１により構造体１に被支持部材５を設置するまでの作業手順を説明する。図２は挿通孔７から定温室３に一端が突出（露出）し、隣接室４の内部に連続して敷設されるケーブルを連結部材６２として挿通孔７内に挿通させた場合の施工例を示している。図１は図２−（ｄ）の次の手順を示している。
【００３９】
図２−（ａ）は構造体１に連結部材６２用の挿通孔７を形成した様子を示す。図示していないが、構造体１には連結部材６１用の挿通孔７も形成される。定温室３の断熱性を確保するための断熱材２は前記のように構造体１の少なくともいずれかの面に一体化しているか、厚さ方向の中間部に介在している。挿通孔７は既存の構造体１に対してはドリル等の削孔装置を用いて形成される。
【００４０】
挿通孔７の形成後、連結部材６２の保護のために、図２−（ｂ）に示すように挿通孔７の室外（隣接室４）側に筒状部材１１を配置することが行われる。その後、（ｃ）に示すように構造体１の隣接室４側から連結部材６を挿通孔７内に挿入し、隣接室４側の面に型枠部材８を配置することが行われる。
【００４１】
連結部材６２は前記のように型枠部材８の底部８ｂを貫通して挿通孔７内に挿入されるため、予め型枠部材８の底部８ｂを貫通した状態で型枠部材８と共に隣接室４に配置される。型枠部材８の底部８ｂを連結部材６が貫通する場合、型枠部材８の底部８ｂは連結部材６の表面と型枠部材８の内周面との間の間隔を保持するスペーサとして機能する。
【００４２】
連結部材６２の、型枠部材８を貫通して定温室３側へ突出する部分は連結部材６２を発泡性の断熱材９、例えば発泡ポリウレタンによる変性から保護するためのアルミテープ等の被覆材１２で被覆される。連結部材６は被覆材１２が巻き付けられるか、被覆材１２内に挿通することにより被覆される。被覆材１２は連結部材６２が断熱材９に接触する区間、すなわち目地詰め材１０から型枠部材８の底部８ｂの区間までに亘り、連続して配置される。
【００４３】
挿通孔７の定温室３側端部の、連結部材６２の回りには型枠部材８の内部と共に充填される断熱材９の堰板となる目地詰め材１０が配置、もしくは充填される。隣接室４側の堰板は型枠部材８の底部８ｂが兼ねる。連結部材６２の定温室３側の先端は被支持部材５との接続のために、目地詰め材１０から定温室３へ突出する。
【００４４】
構造体１の隣接室４側への型枠部材８の配置と共に、または配置と前後して図２−（ｄ）に示すように被支持部材５を構造体１に支持させるための連結部材６１としての吊りボルトが配置される。連結部材６１の配置に先立ち、構造体１に連結部材６１用の挿通孔７が形成される。連結部材６１は挿通孔７を貫通し、隣接室４側においてナット等により定着される。
【００４５】
連結部材６１としての吊りボルトもケーブルと同様に挿通孔７を貫通して定温室３と隣接室４の間に跨るが、吊りボルトの場合にはケーブルの場合のような損傷と冷却に対する保護の必要性が乏しいため、必ずしも連結部材６１の回りに筒状部材１１と被覆部材１２を配置する必要はない。
【００４６】
但し、連結部材６１としての吊りボルトは金属製であることで、隣接室４と定温室３とに跨ることによる熱橋と冷橋が発生することが想定されるため、隣接室４に突出（露出）する部分の回りにはケーブルの場合と同様に断熱材９が充填され、吊りボルトが隣接室４の空気に接触することが防止される。吊りボルトの回りに配置される型枠部材８の内部に充填される断熱材９は吊りボルトが挿通している挿通孔７内にも入り込む。
【００４７】
図面では連結部材６１としての吊りボルトの設置後、構造体１の定温室３側の面に被支持部材５を配置し、連結部材６１としての吊りボルトにより被支持部材５を構造体１に支持させているが、被支持部材５を構造体１に支持させる作業工程は図１に示す型枠部材８内部への断熱材９充填の工程の後になることもある。
【００４８】
被支持部材５の構造体１への支持後、図１に示すように各連結部材６１、６２回りの隣接室４側の面に配置されている型枠部材８の内部に発泡性の断熱材９を充填することが行われる。断熱材９は型枠部材８の注入口８ａから注入させられ、型枠部材８の内部と挿通孔７内に充填しきったことが目視により確認された時点で、作業が終了する。
【図面の簡単な説明】
【００４９】
【図１】本発明の断熱構造の具体例を示した縦断面図である。
【図２】（ａ）〜（ｄ）は図１に示す断熱構造の作業手順を示した縦断面図である。
【図３】図１、図２に示す断熱構造が実施される定温倉庫の例を示した縦断面図である。
【符号の説明】
【００５０】
１……構造体、２………断熱材、３……定温室、４……隣接室、５……被支持部材、
６……連結部材、６１……連結部材（吊りボルト等）、６２……連結部材（ケーブル等）、７……挿通孔、
８……型枠部材、８ａ……注入口（貫通孔）、８ｂ……底部、
９……断熱材、１０……目地詰め材、１１……筒状部材、１２……被覆材。
【図１】
2009299922.tif 000003
【図２】
2009299922.tif 000004
【図３】
2009299922.tif 000005